(57)【要約】      （修正有）【課題】アクセサリーを、簡便に色の専門家の知見に基づき、その一部または全体の色を、ＴＰＯに合わせて変更可能なシステムを提供する。【解決手段】アクセサリー１０１に色変更手段を設け、さらにアクセサリーの持ち主のユーザ端末１０３と、アクセサリーに通信手段１０５を持たせ、この端末にユーザ情報を入力し、このユーザ情報を色の専門家１０８の知見を基に、アクセサリーの色を選択し、選択した色情報を前述のユーザ端末と、アクセサリーの通信手段によりアクセサリーに送信し、アクセサリーの色変更手段により、アクセサリーの色をＴＰＯにより変更する。【選択図】図１
2016144520.tif 000002
【特許請求の範囲】
【請求項１】
ユーザのアクセサリーの一部または全部の色を変更する色変更手段と前記色変更手段を制御する色情報制御手段とを有するアクセサリーと前記アクセサリーの前記色情報制御手段の色情報を設定する設定手段を有する前記アクセサリーと別体の端末と前記アクセサリーと前記端末を接続する通信手段を有し、前記アクササリーの色情報は前記端末で設定し、前記アクセサリーと前記端末は前記通信手段を通じて前記端末より前記アクセサリーに前記色情報を送信することを特徴とする色変更可能なアクセサリーシステム。
【請求項２】
前記通信手段は近接無線手段であることを特徴とする特許請求範囲第1項記載のアクセサリーシステム。
【請求項３】
前記端末はスマートフォンあるいはタブレットあるいはＰＣであることを特徴とする特許請求範囲第1項記載のアクセサリーシステム。
【請求項４】
前記色は時系列で変化させることを特徴とする特許請求範囲第1項記載のアクセサリーシステム。
【請求項５】
前記色変更手段は、LEDまたはLCD、または有機ELまたは電子ペーパーであることを特徴とする特許請求範囲第1項記載のアクセサリーシステム。
【請求項６】
前記アクセサリーは指輪、あるいはネックレス、あるいはブローチ、あるいはブレスレット、あるいはイヤリング、あるいはペンダント、あるいは時計であることを特徴とする特許請求範囲第1項記載のアクセサリーシステム。
【請求項７】
前記端末はさらに公衆回線に接続する通信手段、前記通信手段を通じてサイトに接続するサイト接続手段を有し、前記端末はユーザが必要な情報を入力可能なユーザインターフェース手段を設けておき前記ユーザインターフェース手段によりユーザはユーザ情報を前記端末入力し、該ユーザ情報はサイトに送信され、前記送信された情報を基にサイトにおいてアクセサリーの色を決定し決定した色情報を前記端末に送信する色情報決定送信手段を有することを特許請求範囲第1項記載のアクセサリーシステム。
【請求項８】
前記サイトは更に色の専門家の端末に繋がる通信手段、前記専門家の端末はユーザの情報を基にアクセサリーの色を選択するための色専門家インターフェース手段を有し、前記専門家は前記色専門家インターフェース手段を通じてユーザのアクセサリーの色を選択することを特徴とする特許請求範囲第７項記載のアクセサリーシステム。
【請求項９】
前記サイトはユーザ情報を分析しユーザのアクセサリーの色を選択するユーザクセサリ色選択手段を有することを特徴とする特許請求範囲第７項記載のアクセサリーシステム。
【請求項１０】
前記ユーザ端末はカメラを有し、前記ユーザ情報の一部あるいは全てはカメラで撮影した画像であることを特徴とする特許請求範囲第７項記載のアクセサリーシステム。
【請求項１１】
前記カメラ入力の際に予め該当カメラの色補正を行う色補正手段を有することを特徴とする特許請求範囲第１０項記載のアクセサリーシステム。
【請求項１２】
前記色補正は予め既知の色およびそのマークが印刷してあるシートを前記カメラで撮影することによって補正することを特徴とする特許請求範囲第１１項記載のアクセサリーシステム。
【請求項１３】
前記端末はユーザが必要な情報を入力可能なユーザインターフェース手段によりユーザ情報を入力し、前記ユーザ情報を分析しユーザのアクセサリーの色を選択するユーザクセサリ色選択手段を有することを特徴とする特許請求範囲第１項記載のアクセサリーシステム。
【請求項１４】
前記ユーザ端末はカメラを有し、前記ユーザ情報の一部あるいは全てはカメラで撮影した画像であることを特徴とする特許請求範囲第１３項記載のアクセサリーシステム。
【請求項１５】
前記カメラ入力の際に予め該当カメラの色補正を行う色補正手段を有することを特徴とする特許請求範囲第１４項記載のアクセサリーシステム。
【請求項１６】
前記色補正は予め既知の色およびそのマークが印刷してあるシートを前記カメラで撮影することによって補正することを特徴とする特許請求範囲第１５項記載のアクセサリーシステム。
【請求項１７】
前記ユーザ情報はユーザの行動情報、服情報、アクセサリー情報、靴情報、体型情報、顔情報、髪の毛の色情報、肌情報から選ばれた少なくとも１つの情報であることを特徴とする特許請求範囲第７項あるいは１３項記載のアクセサリーシステム。
【発明の詳細な説明】
【技術分野】
【０００１】
本発明は、ＴＰＯによってその色を変化させるアクセサリーに関する。
【背景技術】
【０００２】
人は出かけるときにアクセサリーを装着することがあるが、ＴＰＯによって色は変更すると好ましい。そういった際に色のエキスパートにアドバイスを受けるといいが実際問題として現実的ではなかった。爆発的に普及してきているスマートフォンを使って簡単にアクセサリーの色をＴＰＯに合わせて色のエキスパートに選択してもらうといったシステムは存在しなかった。特許文献１に物理的に靴につける造形物についての記載はあるが色のエキスパートの知見を利用しているものではないのが現状である。
【先行技術文献】
【特許文献】
【０００３】
【特許文献１】特開２０１０−１７９０７６
【発明の開示】
【発明が解決しようとする課題】
【０００４】
手軽にＴＰＯに合わせて色のエキスパートの知見でアクセサリーの色を選択すし、かつアクセサリーの色の手軽に変更できるシステムが待ち望まれていた。
【０００５】
【課題を解決するための手段】
【０００６】
本発明はユーザのアクセサリーの一部または全部の色を変更する色変更できるように色変更手段を設けておけばよい。そしてこの色の変更は、アクセサリーの該当部分にLEDまたはLCD、または有機ELまたは電子ペーパーを設けておき、この部分の色を状況等によって変更すればよい。
【０００７】
この色変更手段を制御する色情報制御手段とこのアクセサリーの色情報制御手段の色情報を設定する設定手段をアクセサリーに設けておく。さらにこのアクセサリーと別体の端末とこのアクセサリーを接続する通信手段を設け、アクササリーの色情報はこの端末で設定し、アクセサリーと端末は通信手段を通じて端末よりアクセサリーに色情報を送信するようにすればよい。
【０００８】
そしてこの通信手段は無線通信距離数十ｃｍ以内で通信可能なNFCなどの近接無線で通信すればよい。さらにこの端末はスマートフォンあるいはタブレットあるいはＰＣを使うようにすればよい。
【０００９】
またアクセサリーの色は時系列で変化させるようにすればユーザの行動に合わせて自動で色が替わりユーザのTPOにあった色をアクセサリーに適用可能となる。そしてこういったアクセサリーは指輪、あるいはネックレス、あるいはブローチ、あるいはブレスレット、あるいはイヤリング、あるいはペンダント、あるいは時計でとすればよい。
【００１０】
この端末は例えばスマートフォンであれば公衆無線回線などの公衆回線に接続する通信手段を有しているので、この通信手段を通じてサイトに接続するサイト接続手段を設けておき、この端末はユーザが必要な情報を入力可能なユーザインターフェース手段を設けておきこのユーザインターフェース手段によりユーザはユーザ情報を端末に入力し、このユーザ情報はサイトに送信され、送信された情報を基にサイトにおいてアクセサリーの色を決定し決定した色情報をこの端末に送信する色情報決定送信手段を設けておけばよい。
【００１１】
このサイトは更に色の専門家の端末に繋がる通信手段、専門家の端末はユーザの情報を基にアクセサリーの色を選択するための色専門家インターフェース手段を設けておき、色の専門家は色専門家インターフェース手段を通してユーザのアクセサリーの色を選択可能なようにしておけばよい。
【００１２】
また色の専門家がいなくても色の専門家のノウハウをデータベース化しておきこのデータベースをサイトに設置し、サイトはユーザ情報を分析しこのデータベースを活用してユーザのアクセサリーの色を選択するユーザクセサリ色選択手段を設けておきサイトで自動に色を選択するようにしてもよい。
【００１３】
またユーザ情報の入力に写真を使ってもよくその場合ユーザ端末はカメラを有しており、ユーザ情報の一部あるいは全てはカメラで撮影した画像とすればよい。この場合ユーザ端末のカメラには個体差があるため画像を分析した際に分析結果が正確ではなくなるak脳性がある。このためカメラ入力の際に予め該当カメラの色補正を行う色補正手段を設けておけばよい。この色補正は予め既知の色およびそのマークが印刷してあるシートをユーザの端末カメラで撮影することによって補正するようにすればよい。
【００１４】
また端末のみの処理も考えられる。端末はユーザが必要な情報を入力可能なユーザインターフェース手段によりユーザ情報を入力し、このユーザ情報を分析しユーザのアクセサリーの色を選択するユーザクセサリ色選択手段を設けておけばよい。この時は先ほどと同様に色の専門家のノウハウをデータベース化しておきこのデータベースを該当端末に設置しておき、このデータベースを活用して色を選択すればよい。
【００１５】
また先ほどと同様にユーザ端末にカメラのカメラを活用し、ユーザ情報の一部あるいは全てはカメラで撮影しとしてもよい。この場合も先ほどと同様にユーザ端末のカメラには個体差があるため画像を分析した際に分析結果が正確ではなくなるak脳性がある。このためカメラ入力の際に予め該当カメラの色補正を行う色補正手段を設けておけばよい。この色補正は予め既知の色およびそのマークが印刷してあるシートをユーザの端末カメラで撮影することによって補正するようにすればよい。
【００１６】
前述のユーザ情報はユーザの行動情報、服情報、アクセサリー情報、靴情報、体型情報、顔情報、髪の毛の色情報、肌情報から選ばれた少なくとも１つの情報であればよい。
【発明の効果】
【００１７】
本発明はアクセサリーの色を手軽に色の専門家の視点で容易に変更可能なシステムを提供することが可能となり、アクセサリーの活用に幅が広がるものである。
【発明を実施するための形態】
【００１８】
本発明の実施の形態について図面を参照して説明する。図１は本発明の実施形態であり、１０１は色変更可能なアクセサリー、１０２はユーザ、１０３はスマートフォン、１０４はアクセサリーの色が変更されたことを模式的に表している。１０６は公衆無線回線の基地局、１０７はサイトを開設しているセンター、１０８は色の専門家であるエキスパートで１０９はエキスパートＰＣ端末である。
【００１９】
図２はアクセサリーの色変更を実現するための機能部構成を示したブロック図であり、２０１はアクセサリー本体であり制御部２０２、ＮＦＣ通信部２０３、電源部２０４、色変更部２０５、記憶部２０５である。図３は情報の流れを示した図１のアクセサリー１０１、ユーザ端末であるスマートフォン１０３、サイトを開設しているセンター１０７、エキスパートＰＣ端末１０９の情報の流れを示している。
【００２０】
図３においてユーザ端末でユーザが色選択のためのユーザ情報をユーザ端末であるスマートフォンで入力しこの結果はサイトを開設しているセンターに送信する。エキスパートＰＣ端末に色の専門家がアクセスしユーザ情報を基に色の専門家が色を選択してセンターに送信する。
【００２１】
選択された色情報はユーザ端末であるスマートフォン送信されユーザは必要に応じて図１の１０５に示すようにＮＦＣを起動してアクセサリーに転送する。転送された色情報は図２に示す通信部２０３を通して制御部に送られ必要に応じて記憶部に格納される。制御部は必要な時に記憶部から色情報を読み出し、色変更部２０５を制御する。色変更部はＬＥＤに接続されており必要な時に図１の１０４に示すようにアクセサリーの色をＬＥＤの色制御により変更すればよい。
【００２２】
ここではユーザ端末はスマートフォン、エキスパート端末はＰＣ、アクセサリーの色はＬＥＤを使ったが、これに限られるものではない。ユーザ端末はタブレット、ＰＣでもよくエキスパート端末はスマートフォン、タブレットでもよい。アクセサリーの色変更はＬＣＤ、有機ＥＬ、電子ぺーパーでもよい。
【００２３】
次にユーザインターフェースの入力画面ついて説明する。図４はスマートフォンの場合のユーザ認証画面でユーザＩＤ、パスワードの入力画面で、ここで認証されると次の図５に遷移し、アクセサリーの選択画面になる。アクセサリーを選択すると図６のユーザの服の色の選択画面になり、ここでユーザは服の色を選択し、図７に遷移し図７では同様に髪の色を選択する。同様に図８では靴の色を選択する。ここではユーザ情報として服、髪、靴の色を選択したがこれに限られるものではなく必要に応じて体型情報、顔情報等を入力するようにしてもよい。
【００２４】
次に時系列でユーザの行動の入力について説明する。図９はその入力画面を示しており、ユーザは時間に応じて自分の行動を設定する。ここでは１１：３０にＡレストランでランチし、そののち１５：３０から１９：３０までＢ美術館に行くことを設定している。ここで行動を設定した送信を押せば図１のサイトを開設しているセンターに送信され蓄積される。
【００２５】
図１０には図１の色の専門家１０８が操作するエキスパートＰＣ端末の画面を示している。ここで画面にユーザ情報が表示され、さらに色の選択部が表示される。図１１は色の専門家が色を選択した画面であり、ＯＫを押せば選択した色情報がセンター１０７に送信される。この色情報は前述したようにユーザ端末１０３を通じてアクセサリー１０１に転送されアクセサリーの色を制御する。
【００２６】
ユーザ情報の入力には写真を使ってもよいが、その場合の方法について説明する。通常カメラは個体差があり、写真を分析する際に色が正確に反映されない場合があるので、その個体差を打ち消すため該当カメラの色補正を行う必要があるが図１２はその際に使う色補正シートを表している。この色補正シートには図に示すように各色とそれに対応するマークが印刷してある。ユーザは該当のカメラでこの色補正シートを写真に撮ればよいが図１３にその時の起動画面を示した。
【００２７】
図１４は色補正の仕組みであり、図１２の色補正シートを撮影した写真を１４０１で取得し、１４０２で取得した写真データを分析し１４０３で色補正データを作成，］１４０４で色補正データをデータベース１４０５に格納する。次に図１５において色補正シートを撮影したユーザの写真を基に補正する方法について説明する。１５０１においてユーザが撮影した写真を取得し１５０２で取得した写真を分析し、１５０３で前述した色補正データベース１４０５を参照して写真の色補正を行い、１５０４にて補正した写真を作成する。
【００２８】
図１６にはユーザ情報に写真が使われた場合、図１の色の専門家１０８が操作するエキスパートＰＣ端末の画面を示している。ここで画面にユーザ情報が表示され、さらに色の選択部が表示される。図１７は色の専門家が色を選択した画面であり、ＯＫを押せば選択した色情報がセンター１０７に送信される。この色情報は前述したようにユーザ端末１０３を通じてアクセサリー１０１に転送されアクセサリーの色を制御する。
【００２９】
色の専門家がいない場合について説明する。図１８はその様子を示したもので前述と同様１８０１は色変更可能なアクセサリー、１８０２はユーザ、１８０３はスマートフォン、１8０４はアクセサリーの色が変更されたことを模式的に表している。１８０６は公衆無線回線の基地局、１8０７はサイトを開設しているセンターである。
【００３０】
ここでセンターには色の専門家の知見をデータベース化しておきこのデータベースを活用して色を選択すればよい。図１９はその時の流れを示している。前述のデータベースは１９０５に格納しておき、１９０１でユーザの端末よりユーザ情報を送信し図１８の１８０７のセンターで１９０２のユーザ情報を取得し１９０３でユーザ情報を分析する。さらに分析結果より１９０５のデータベースを参照して１９０４で色を選択し、１９０６で選択した色情報をユーザ端末のスマートフォンに送信し先ほどと同様に１９０７でユーザ端末からアクセサリーに色情報を転送すればよい。またユーザ情報は図６から図９のような情報でもよくあるいは写真情報でもよい。この場合センターにおいて前述と同様の色補正を行えばよい。
【００３１】
図２０は端末のみの処理を示している。図２０はその様子を示したもので前述と同様２００１は色変更可能なアクセサリー、２００２はユーザ、２００３はスマートフォン、２００４はアクセサリーの色が変更されたことを模式的に表している。ここではユーザ端末であるスマートフォンに色分析、色の専門家の知見をデータベース化したデータ、色選択のソフトをインストールしておけばよい。ユーザ情報は図６から図９のような情報でもよくあるいは写真情報でもよい。ユーザは端末で写真に撮る場合にはユーザのスマートフォンフォンに前述と同様の色補正機能を設けておけばよい。
【図面の簡単な説明】
【００３２】
【図１】エキスパート端末、センターを有するアクサリーシステムの実施の全体構成図
【図２】アクセサリーの機能部構成のブロック図
【図３】アクセサリー、ユーザー端末、センター、エキスパート端末の情報の流れ
【図４】入力画面（ユーザ認証）
【図５】入力画面（アクセサリー選択画面）
【図６】入力画面（服の色選択画面）
【図７】入力画面（髪の色選択画面）
【図８】入力画面（靴の色選択画面）
【図９】入力画面（行動入力）
【図１０】入力画面（エキスパートＰＣ端末色選択画面）
【図１１】エキスパート色決定画面
【図１２】色補正シート
【図１３】色補正カメラ起動画面
【図１４】カメラ個体差補正色補正データ制裁
【図１５】写真色補正
【図１６】写真の場合の入力画面（エキスパートＰＣ端末色選択画面）
【図１７】写真の場合のエキスパート色決定画面
【図１８】センターを有するアクサリーシステムの実施の全体構成図
【図１９】センターを有するアクサリーシステムのフロー
【図２０】端末処理アクサリーシステムの実施の全体構成図
【図１】
2016144520.tif 000003
【図２】
2016144520.tif 000004
【図３】
2016144520.tif 000005
【図４】
2016144520.tif 000006
【図５】
2016144520.tif 000007
【図６】
2016144520.tif 000008
【図７】
2016144520.tif 000009
【図８】
2016144520.tif 000010
【図９】
2016144520.tif 000011
【図１０】
2016144520.tif 000012
【図１１】
2016144520.tif 000013
【図１２】
2016144520.tif 000014
【図１３】
2016144520.tif 000015
【図１４】
2016144520.tif 000016
【図１５】
2016144520.tif 000017
【図１６】
2016144520.tif 000018
【図１７】
2016144520.tif 000019
【図１８】
2016144520.tif 000020
【図１９】
2016144520.tif 000021
【図２０】
2016144520.tif 000022